(57)【要約】【課題】映像信号を切り替えても乱れなく映像を表示することができる映像表示システム及び映像表示装置を得ることを目的とする。【解決手段】受信部１１により受信された映像信号のＢピクチャを検出すると、そのＢピクチャの動きベクトルを零にして、差分情報がないＢピクチャに変換する新Ｂピクチャ生成部１４を設け、受信部１１により受信された映像信号のＩピクチャ及びＰピクチャと新Ｂピクチャ生成部１４により変換されたＢピクチャを復号して映像を表示する。【選択図】図１
2007166022.tif 000002
【特許請求の範囲】
【請求項１】
映像信号を符号化して、符号化後の映像信号を配信する複数の映像信号符号化装置と、上記複数の映像信号符号化装置から配信される映像信号のうち、復号対象の映像信号を指定する映像信号指定手段と、上記映像信号指定手段により指定された映像信号が切り替わると、新たに指定された映像信号のＩピクチャから受信を開始する映像信号受信手段と、上記映像信号受信手段により受信された映像信号のＢピクチャを検出すると、そのＢピクチャの動きベクトルを零にして、差分情報がないＢピクチャに変換するＢピクチャ変換手段と、上記映像信号受信手段により受信された映像信号のＩピクチャ及びＰピクチャと上記Ｂピクチャ変換手段により変換されたＢピクチャを復号して映像を表示する映像表示手段とを備えた映像表示システム。
【請求項２】
映像信号を符号化する複数の映像信号符号化装置から配信される映像信号のうち、指定されている復号対象の映像信号が切り替わると、新たに指定された映像信号のＩピクチャから受信を開始する映像信号受信手段と、上記映像信号受信手段により受信された映像信号のＢピクチャを検出すると、そのＢピクチャの動きベクトルを零にして、差分情報がないＢピクチャに変換するＢピクチャ変換手段と、上記映像信号受信手段により受信された映像信号のＩピクチャ及びＰピクチャと上記Ｂピクチャ変換手段により変換されたＢピクチャを復号して映像を表示する映像表示手段とを備えた映像表示装置。
【請求項３】
映像信号を符号化する複数の映像信号符号化装置から配信される映像信号のうち、復号対象の映像信号を指定する映像信号指定手段と、上記映像信号指定手段により指定された映像信号が切り替わると、新たに指定された映像信号のＩピクチャから受信を開始する映像信号受信手段と、上記映像信号受信手段により受信された映像信号のＢピクチャを検出すると、そのＢピクチャの動きベクトルを零にして、差分情報がないＢピクチャに変換するＢピクチャ変換手段と、上記映像信号受信手段により受信された映像信号のＩピクチャ及びＰピクチャと上記Ｂピクチャ変換手段により変換されたＢピクチャを復号して映像を表示する映像表示手段とを備えた映像表示装置。
【請求項４】
Ｂピクチャ変換手段は、映像信号の先頭に位置するＩピクチャと連続しているＢピクチャのみを差分情報がないＢピクチャに変換することを特徴とする請求項２または請求項３記載の映像表示装置。
【請求項５】
Ｂピクチャ変換手段は、変換前のＢピクチャのスライスにおける先頭マクロブロックと末尾マクロブロックから変換後のＢピクチャのスライスを構成することを特徴とする請求項２から請求項４のうちのいずれか１項記載の映像表示装置。
【請求項６】
映像信号受信手段により受信された映像信号がクローズドＧＯＰである場合、映像表示手段が映像信号のＩピクチャ及びＰピクチャとＢピクチャ変換手段により変換されていない映像信号のＢピクチャを復号することを特徴とする請求項２から請求項５のうちのいずれか１項記載の映像表示装置。
【発明の詳細な説明】
【技術分野】
【０００１】
この発明は、複数の監視カメラから配信された映像信号を切り替えながら受信して、映像を表示する映像表示システム及び映像表示装置に関するものである。
【背景技術】
【０００２】
最近の映像表示システムでは、ＭＰＥＧ（Ｍｏｖｉｎｇ  Ｐｉｃｔｕｒｅ  Ｅｘｐｅｒｔｓ  Ｇｒｏｕｐ）方式を用いて、監視カメラの映像信号を符号化するものが主流になりつつある。
このような映像表示システムでは、複数の監視カメラから配信される映像信号を切り替えても乱れなく映像を表示するため、ＭＰＥＧ方式で定義されているＧＯＰ（Ｇｒｏｕｐ  ｏｆ  Ｐｉｃｔｕｒｅ）の先頭に位置しているＩ（Ｉｎｔｒａ）ピクチャの位置で切り替えを行う必要がある。
Ｉピクチャの位置で切り替えを行う方法として、例えば、以下の特許文献１に開示されているような方法が知られている。
【０００３】
以下の特許文献１に開示されている方法は、映像表示装置が映像の切替要求を受信すると、新たな映像信号のＩピクチャから復号処理を行う準備が完了した時点で、映像信号の送信要求を映像信号符号化装置に送信し、映像信号符号化装置が映像信号の送信要求を受信すると、映像信号のＩピクチャを映像表示装置に送信するようにしている。
しかしながら、以下の特許文献１に開示されている方法では、映像信号を切り替えても乱れなく映像を表示するためにＩピクチャを送信しているが、それでも映像信号の切替時に映像が乱れることがある。
【０００４】
図５はＭＰＥＧ方式のピクチャ構成を示す説明図である。
映像信号符号化装置が映像表示装置からフレーム番号３のタイミングで映像信号の送信要求を受信すると、フレーム番号４からＩピクチャの作成を開始する。
ただし、ＭＰＥＧ方式の場合、フレーム番号４のフレームはＩピクチャにならず、双方向予測符号化映像データであるＢ（Ｂｉｄｉｒｅｃｔｉｏｎａｌｌｙ  Ｐｒｅｄｉｃｔｉｖｅ）ピクチャになる。図５では、フレーム番号４のフレームを“Ｂ４”で表している。
このＢ４ピクチャは、一つ前のＧＯＰの最後に位置しているＰ（Ｐｒｅｄｉｃｔｉｖｅ）ピクチャ（フレーム間順方向予測符号化映像データ）であるＰ３ピクチャとＩ６ピクチャから作成される。
次のフレーム番号５のフレームも同様にＢピクチャであり、Ｐ３ピクチャとＩ６ピクチャからＢ５ピクチャが作成される。
次のフレーム番号６のフレームは、そのままＩ６ピクチャになる。
【０００５】
映像信号符号化装置は、映像信号の符号化データを送信する際、下記に示すように、その符号化データの順番の並び替えを実施する。
・並び替え前
フレーム番号４，５，６，・・・
→  Ｂ４，Ｂ５，Ｉ６，・・・
・並び替え後
フレーム番号４，５，６，・・・
→  Ｉ６，Ｂ４，Ｂ５，・・・
【０００６】
映像表示装置は、映像信号符号化装置により順番が並び替えられた映像信号の符号化データを受信し、先頭のＩ６ピクチャを受信した時点で映像の切り替わりが発生する。
ただし、映像表示装置は、先頭のＩ６ピクチャを受信して復号しても、そのＩ６ピクチャの復号データによる映像表示を行わず、Ｉ６ピクチャの次のＢ４ピクチャの復号データにしたがって映像表示を開始する。
【０００７】
しかしながら、映像信号がオープンＧＯＰであるＭＰＥＧ方式の場合、Ｉ６ピクチャの次のＢ４ピクチャを復号するためには、一つ前のＧＯＰの最後に位置しているＰ３ピクチャとＩ６ピクチャの双方が必要であるが、映像表示装置では、Ｐ３ピクチャを保持していないため、フレーム番号４のフレームを正しく復号することができず、ブロックノイズとして表示される。フレーム番号５のフレームも同様である。
【０００８】
【特許文献１】特開２００４−２８２３４０号公報（段落番号［００４２］から［００４７］、図１）
【発明の開示】
【発明が解決しようとする課題】
【０００９】
従来の映像表示システムは以上のように構成されているので、映像信号を切り替えても乱れなく映像を表示することができるようにするために、映像信号符号化装置がＧＯＰの先頭に位置しているＩピクチャから送信を開始するようにしている。しかし、Ｉピクチャの次のＢピクチャを復号するには、映像表示装置が保持していない一つ前のＧＯＰの最後に位置しているＰ３ピクチャが必要であるため正しく復号することができず、映像信号の切替時に映像が乱れることがあるなどの課題があった。
【００１０】
この発明は上記のような課題を解決するためになされたもので、映像信号を切り替えても乱れなく映像を表示することができる映像表示システム及び映像表示装置を得ることを目的とする。
【課題を解決するための手段】
【００１１】
この発明に係る映像表示システムは、映像信号受信手段により受信された映像信号のＢピクチャを検出すると、そのＢピクチャの動きベクトルを零にして、差分情報がないＢピクチャに変換するＢピクチャ変換手段を設け、その映像信号受信手段により受信された映像信号のＩピクチャ及びＰピクチャとＢピクチャ変換手段により変換されたＢピクチャを復号して映像を表示するようにしたものである。
【発明の効果】
【００１２】
この発明によれば、映像信号受信手段により受信された映像信号のＢピクチャを検出すると、そのＢピクチャの動きベクトルを零にして、差分情報がないＢピクチャに変換するＢピクチャ変換手段を設け、その映像信号受信手段により受信された映像信号のＩピクチャ及びＰピクチャとＢピクチャ変換手段により変換されたＢピクチャを復号して映像を表示するように構成したので、映像信号を切り替えても乱れなく映像を表示することができる効果がある。
【発明を実施するための最良の形態】
【００１３】
実施の形態１．
図１はこの発明の実施の形態１による映像表示システムを示す構成図であり、図において、映像信号符号化装置１−１〜１−Ｎは映像信号をＭＰＥＧ方式で符号化して、符号化後の映像信号をネットワーク３に出力する。
映像信号符号化装置１−１〜１−Ｎの監視カメラ１ａは所定の監視エリアを撮像して、その監視エリアの映像信号を符号化装置１ｂに出力する。
映像信号符号化装置１−１〜１−Ｎの符号化装置１ｂは監視カメラ１ａから出力された映像信号をＭＰＥＧ方式で符号化して、符号化後の映像信号をネットワーク３に出力する。
【００１４】
切替制御装置２は映像信号符号化装置１−１〜１−Ｎからネットワーク３に出力される符号化後の映像信号のうち、復号対象の映像信号を映像表示装置４に指示する処理を実施し、復号対象の映像信号を切り替える際には、映像信号の切替要求信号である切替コマンドを映像表示装置４に送信する。
図１の例では、切替制御装置２が映像表示装置４の外部に設置されているものについて示しているが、映像表示装置４が切替制御装置２を実装するようにしてもよい。また、映像表示装置４の制御部１２が切替制御装置２の機能を兼ねるようにしてもよい。
なお、切替制御装置２は映像信号指定手段を構成している。
【００１５】
映像表示装置４は映像信号符号化装置１−１〜１−Ｎから配信される映像信号を切り替えながら受信して映像を表示する処理を実施する。
映像表示装置４の受信部１１は切替制御装置２から切替コマンドを受信するとともに、制御部１２の指示の下、切替後の映像信号のＩピクチャから受信を開始する。
映像表示装置４の制御部１２は受信部１１により受信された切替コマンドから切替後の映像信号を特定して、その映像信号の受信開始指令を受信部１１に出力するとともに、受信部１１により受信された映像信号のＩピクチャを検出すると、Ｂピクチャの検出開始指令をＢピクチャ検出部１３に出力するなどの処理を実施する。
なお、受信部１１及び制御部１２から映像信号受信手段が構成されている。
【００１６】
映像表示装置４のＢピクチャ検出部１３は受信部１１により受信された映像信号のＢピクチャを検出する処理を実施する。
映像表示装置４の新Ｂピクチャ生成部１４は受信部１１により受信された映像信号のＢピクチャの動きベクトルを零にして、差分情報がないＢピクチャに変換する処理を実施する。
映像表示装置４の切替スイッチ１５はＢピクチャ検出部１３がＢピクチャを検出すると、復号部１６の接続先をＨ側（新Ｂピクチャ生成部１４側）に設定し、Ｂピクチャ検出部１３がＢピクチャを検出しなければ、復号部１６の接続先をＬ側（受信部１１側）に設定する。
なお、Ｂピクチャ検出部１３、新Ｂピクチャ生成部１４及び切替スイッチ１５からＢピクチャ変換手段が構成されている。
【００１７】
映像表示装置４の復号部１６は制御部１２の指示の下、受信部１１により受信された映像信号のＩピクチャ及びＰピクチャと新Ｂピクチャ生成部１４により変換されたＢピクチャを復号する。
映像表示装置４のＤ／Ａ変換部１７は復号部１６により復号されたデジタルの映像信号をアナログ信号に変換して、そのアナログ信号をモニタ１８に出力することにより、映像をモニタ１８に表示する。
なお、復号部１６及びＤ／Ａ変換部１７から映像表示手段が構成されている。
【００１８】
図１の例では、映像表示装置４の構成要素である受信部１１、制御部１２、Ｂピクチャ検出部１３、新Ｂピクチャ生成部１４、切替スイッチ１５、復号部１６及びＤ／Ａ変換部１７がそれぞれ専用のハードウェア（例えば、ＭＰＵを実装している半導体集積回路基板）から構成されていることを想定しているが、映像表示装置４がコンピュータから構成されている場合、受信部１１、制御部１２、Ｂピクチャ検出部１３、新Ｂピクチャ生成部１４、切替スイッチ１５、復号部１６及びＤ／Ａ変換部１７の処理内容が記述されているプログラムをコンピュータのメモリに格納し、コンピュータのＣＰＵが当該メモリに格納されているプログラムを実行するようにしてもよい。
図２はこの発明の実施の形態１による映像表示装置の処理内容を示すフローチャートである。
また、図３はこの発明の実施の形態１による映像表示装置の処理タイミングを示すタイミングチャートであり、図４は新Ｂピクチャの生成方法を示す説明図である。
【００１９】
次に動作について説明する。
ここでは、映像表示装置４が映像信号符号化装置１−１から符号化後の映像信号Ａを受信しているとき、切替制御装置２から復号対象の映像信号を映像信号符号化装置１−２から配信される映像信号Ｂに切り替える旨を示す切替コマンドを受信するものとして説明する。
【００２０】
映像信号符号化装置１−１〜１−Ｎの監視カメラ１ａは、所定の監視エリアを撮像して、その監視エリアの映像信号を符号化装置１ｂに出力する。
映像信号符号化装置１−１〜１−Ｎの符号化装置１ｂは、監視カメラ１ａから映像信号を受けると、その映像信号をＭＰＥＧ方式で符号化して、符号化後の映像信号をネットワーク３に出力する。
【００２１】
映像表示装置４の制御部１２は、切替制御装置２より映像信号符号化装置１−１から配信される映像信号Ａの復号を指示されている場合、映像信号符号化装置１−１から配信される映像信号Ａの受信を受信部１１に指示する。
これにより、映像表示装置４の受信部１１は、制御部１２の指示の下、映像信号符号化装置１−１から配信される符号化後の映像信号Ａを受信し、切替スイッチ１５を介して（この状態では、切替スイッチ１５の接続先がＬ側である）、その映像信号Ａを復号部１６に出力する。
【００２２】
映像表示装置４の復号部１６は、受信部１１から切替スイッチ１５を介して映像信号Ａを受信すると、制御部１２の指示の下、その映像信号ＡのＩピクチャ，Ｂピクチャ及びＰピクチャを復号する。
映像表示装置４のＤ／Ａ変換部１７は、復号部１６により復号されたデジタルの映像信号Ａを受けると、その映像信号Ａをアナログ信号に変換して、そのアナログ信号をモニタ１８に出力することにより、映像信号符号化装置１−１の監視カメラ１ａにより撮像された映像をモニタ１８に表示する。
【００２３】
切替制御装置２は、例えば、映像表示装置４が映像信号符号化装置１−１から映像信号ＡのＧＯＰ２におけるＢ17ピクチャを受信しているタイミングで、復号対象の映像信号を映像信号符号化装置１−２から配信される映像信号Ｂに切り替える旨を示す切替コマンドをネットワーク３経由で映像表示装置４に送信する。
【００２４】
映像表示装置４の制御部１２は、受信部１１が切替制御装置２から送信された切替コマンドを受信すると（ステップＳＴ１）、そのＢ17ピクチャの受信が完了したら、映像信号符号化装置１−２から配信される映像信号Ｂの受信開始を受信部１１に指示するとともに、その映像信号ＢのＩピクチャが受信されるまで、復号処理の一時停止を復号部１６に指示する（ステップＳＴ２）。
【００２５】
映像表示装置４の受信部１１は、制御部１２の指示の下、映像信号符号化装置１−２から配信される符号化後の映像信号Ｂの受信を開始する。図３の例では、映像信号ＢのＧＯＰ２の先頭から受信を開始する。
映像表示装置４の制御部１２は、受信部１１により受信される映像信号ＢのＧＯＰ２の先頭に位置しているＩ68ピクチャを検出すると（ステップＳＴ３）、その映像信号Ｂに含まれているＢピクチャの検出処理の開始をＢピクチャ検出部１３に指示するとともに、復号処理の一時停止を解除して、復号処理の開始を復号部１６に指示する。
なお、この段階では、切替スイッチ１５の接続先がＬ側（受信部１１側）であるため、受信部１１により受信された映像信号ＢのＩ68ピクチャは、復号部１６に出力される。
【００２６】
映像表示装置４のＢピクチャ検出部１３は、制御部１２の指示の下、映像信号Ｂのストリーム解析を実施することによって、Ｂピクチャの検出処理を開始し（ステップＳＴ４）、受信部１１がＧＯＰ２の先頭のＩ68ピクチャと連続しているＢ66ピクチャを受信すると、そのＢ66ピクチャを検出する（ステップＳＴ５）。
映像表示装置４のＢピクチャ検出部１３は、Ｂ66ピクチャを検出すると、切替スイッチ１５の接続先をＬ側（受信部１１側）からＨ側（新Ｂピクチャ生成部１４側）に切り替える。
【００２７】
これにより、受信部１１により受信された映像信号ＢのＢ66ピクチャは、復号部１６に出力されず、新Ｂピクチャ生成部１４により変換されたｂ1ピクチャが復号部１６に出力される。
新Ｂピクチャ生成部１４から復号部１６に出力されるｂ1ピクチャは、受信部１１により受信された映像信号ＢのＢ66ピクチャの動きベクトルを零にして、差分情報がないＢピクチャに変換されたものであるが、そのｂ1ピクチャの生成方法は後述する。
【００２８】
映像表示装置４のＢピクチャ検出部１３は、Ｉ68ピクチャと連続しているＢピクチャを検出している限り、切替スイッチ１５の接続先をＨ側（新Ｂピクチャ生成部１４側）に固定するので、受信部１１により受信された映像信号ＢのＢ67ピクチャも、復号部１６に出力されず、新Ｂピクチャ生成部１４により変換されたｂ2ピクチャが復号部１６に出力される。
【００２９】
映像表示装置４のＢピクチャ検出部１３は、その後、Ｐ71ピクチャを検出すると（ステップＳＴ８）、切替スイッチ１５の接続先をＨ側（新Ｂピクチャ生成部１４側）からＬ側（受信部１１側）に切り替える（ステップＳＴ８）。
これにより、受信部１１により受信された映像信号ＢのＰ71ピクチャは、復号部１６に出力される。
映像表示装置４のＢピクチャ検出部１３は、映像信号符号化装置１−２から配信される映像信号Ｂの復号を継続する限り、切替スイッチ１５の接続先をＬ側（受信部１１側）に固定するので、以後、受信部１１により受信される映像信号Ｂの全てが復号部１６に出力される。
したがって、映像信号ＢのＧＯＰ３のＢ81ピクチャ，Ｂ82ピクチャについても復号部１６に出力される。
【００３０】
映像表示装置４の復号部１６は、映像信号ＢのＧＯＰ２については、Ｉ68ピクチャ，ｂ1ピクチャ，ｂ2ピクチャ，Ｐ71ピクチャ・・・を復号し、映像信号ＢのＧＯＰ３については、Ｉ83ピクチャ，Ｂ81ピクチャ，Ｂ82ピクチャ，Ｐ86ピクチャ・・・を復号する。
映像表示装置４のＤ／Ａ変換部１７は、復号部１６により復号されたデジタルの映像信号Ｂを受けると、その映像信号Ｂをアナログ信号に変換して、そのアナログ信号をモニタ１８に出力することにより、映像信号符号化装置１−２の監視カメラ１ａにより撮像された映像をモニタ１８に表示する。
【００３１】
次に、新Ｂピクチャ生成部１４によるＢピクチャの変換処理を説明する。
ここでは、説明の便宜上、変換の対象になるＢ66ピクチャは、図４に示すように、スライス総数が３０個、スライス内のマクロブロック（ＭＢ）数が４５個であるとする。
新Ｂピクチャ生成部１４は、映像信号ＢのＢ66ピクチャを検出すると、そのＢ66ピクチャの全データ量を計測して保持し、また、そのＢ66ピクチャのピクチャヘッダを保持する。
【００３２】
次に、新Ｂピクチャ生成部１４は、Ｂ66ピクチャのスライス１の先頭にあるマクロブロックＭＢ1を検出すると、そのスライス１の先頭にあるスライスヘッダを保持する。
そして、新Ｂピクチャ生成部１４は、マクロブロックＭＢ1の内部の動きベクトルをゼロにして、差分情報がない新たなマクロブロックＭｂ1を作成する。
また、新Ｂピクチャ生成部１４は、スライス１の末尾にあるマクロブロックＭＢ45を検出すると、マクロブロックＭＢ45の内部の動きベクトルをゼロにして、差分情報がない新たなマクロブロックＭｂ45を作成する。
新Ｂピクチャ生成部１４は、上記のようにして、新たなマクロブロックＭｂ1，マクロブロックＭｂ45を作成すると、保持しているスライスヘッダと新たなマクロブロックＭｂ1，マクロブロックＭｂ45を合わせて、新たなスライス１を作成する。
この際、スライス１のマクロブロックＭＢ2〜ＭＢ44については削除する。以降、同様にして、スライス２，スライス３，・・・，スライス３０を順々に変換する。
【００３３】
新Ｂピクチャ生成部１４は、上記のようにして、新たなスライス１，スライス２，スライス３，・・・，スライス３０を作成すると、保持しているＢ66ピクチャの全データ量から、新たに作成したスライス１〜スライス３０の全データ量と、保持しているピクチャヘッダの全データ量とを減算する。
新Ｂピクチャ生成部１４は、その減算結果であるデータ量のパディングデータ０を作成する。
そして、新Ｂピクチャ生成部１４は、保持しているピクチャヘッダと新たに作成したスライス１〜スライス３０とパディングデータ０とを合わせて、差分情報がないｂ1ピクチャを生成する。
なお、Ｂ67ピクチャからｂ2ピクチャに変換する手順は、Ｂ66ピクチャからｂ1ピクチャに変換する手順と同様であるため、その説明を省略する。
【００３４】
この実施の形態１では、新Ｂピクチャ生成部１４がＢピクチャの動きベクトルをゼロにして、差分情報がない特殊なｂピクチャを生成し、通常の双方向予想符号化データであるＢピクチャの代わりに、差分情報がない特殊なｂピクチャを復号部１６に与えることになるが、マクロブロックのマクロブロックタイプを順方向予測として動きベクトルをゼロにする場合、図３に示すように、映像信号を切り替える前の最後の映像（映像符号化装置１−１の監視カメラ１ａにより撮像された最後の映像）が２フレームだけ静止画としてモニタ１８に現れる。
一方、マクロブロックのマクロブロックタイプを逆方向予測として動きベクトルをゼロにする場合、映像信号を切り替えた後の最初の映像（映像符号化装置１−２の監視カメラ１ａにより撮像された最初の映像）が２フレームだけ静止画としてモニタ１８に現れる。
これにより、ブロックノイズが発生しない良好な切替り映像を提供することができる。
【００３５】
以上で明らかなように、この実施の形態１によれば、受信部１１により受信された映像信号のＢピクチャを検出すると、そのＢピクチャの動きベクトルを零にして、差分情報がないＢピクチャに変換する新Ｂピクチャ生成部１４を設け、受信部１１により受信された映像信号のＩピクチャ及びＰピクチャと新Ｂピクチャ生成部１４により変換されたＢピクチャを復号して映像を表示するように構成したので、映像信号を切り替えても乱れなく映像を表示することができる効果を奏する。
【００３６】
また、この実施の形態１によれば、変換前のＢピクチャのスライスにおける先頭マクロブロックと末尾マクロブロックから変換後のＢピクチャのスライスを構成するようにしたので、変換後のＢピクチャのデータ量を削減することができる効果を奏する。
【００３７】
なお、この実施の形態１では、映像符号化装置１−１〜１−Ｎが映像信号をＭＰＥＧ方式で符号化するものについて示したが、フレーム間予測を行う符号化方式であれば、ＭＰＥＧ方式以外の符号化方式で符号化してもよく、同様の効果を得ることができる。
【００３８】
実施の形態２．
上記実施の形態１では、ＧＯＰの構成がオープンＧＯＰであるものについて説明したが、ＭＰＥＧ方式を用いて符号化を行う場合、ＧＯＰの構成がクローズドＧＯＰであるものもある。
受信部１１により受信される映像信号がクローズドＧＯＰである場合、Ｉピクチャの次のＢピクチャは順方向予測を行わないため、映像信号の切り替わりによるブロックノイズは発生しない。
【００３９】
複数の監視カメラ１ａが配置されている映像表示システムでは、オープンＧＯＰとクローズドＧＯＰの映像信号が混在していることがある。
そこで、この実施の形態２では、映像表示装置４のＢピクチャ検出部１３がＧＯＰヘッダを解析することにより、映像信号符号化装置から配信されている映像信号がオープンＧＯＰ又はクローズドＧＯＰのいずれであるかを判定する。
映像表示装置４のＢピクチャ検出部１３は、映像信号がクローズドＧＯＰであると判定すると、映像信号のＢピクチャを検出しても、切替スイッチ１５の接続先をＬ側（受信部１１側）に固定して、受信部１１により受信された映像信号のＢピクチャ（Ｂ66ピクチャ，Ｂ67ピクチャ）を復号部１６に出力するようにする。
これにより、復号部１６は、映像信号ＢのＧＯＰ２を復号する場合でも、映像信号ＢのＩ68ピクチャ，Ｂ66ピクチャ，Ｂ67ピクチャ，Ｐ71ピクチャ・・・を復号するようになる。
【００４０】
以上で明らかなように、この実施の形態２によれば、受信部１１により受信された映像信号がクローズドＧＯＰである場合、受信部１１により受信された映像信号のＩピクチャ及びＰピクチャと、その映像信号のＢピクチャ（新Ｂピクチャ生成部１４により変換されていないＢピクチャ）とを復号するように構成したので、Ｂピクチャ検出部１３によりＢピクチャが検出されても、切替スイッチ１５の接続先をＬ側で固定することができるようになり、その結果、映像の切り替わり時間を早めることができる効果を奏する。
【図面の簡単な説明】
【００４１】
【図１】この発明の実施の形態１による映像表示システムを示す構成図である。
【図２】この発明の実施の形態１による映像表示装置の処理内容を示すフローチャートである。
【図３】この発明の実施の形態１による映像表示装置の処理タイミングを示すタイミングチャートである。
【図４】新Ｂピクチャの生成方法を示す説明図である。
【図５】従来の映像表示装置の処理タイミングを示すタイミングチャートである。
【符号の説明】
【００４２】
１−１〜１−Ｎ  映像信号符号化装置、１ａ  監視カメラ、１ｂ  符号化装置、２  切替制御装置（映像信号指定手段）、３  ネットワーク、４  映像表示装置、１１  受信部（映像信号受信手段）、１２  制御部（映像信号受信手段、映像信号指定手段）、１３  Ｂピクチャ検出部（Ｂピクチャ変換手段）、１４  新Ｂピクチャ生成部（Ｂピクチャ変換手段）、１５  切替スイッチ（Ｂピクチャ変換手段）、１６  復号部（映像表示手段）、１７  Ｄ／Ａ変換部（映像表示手段）、１８  モニタ。
【図１】
2007166022.tif 000003
【図２】
2007166022.tif 000004
【図３】
2007166022.tif 000005
【図４】
2007166022.tif 000006
【図５】
2007166022.tif 000007